(57)【要約】【課題】高速回転時の保持器の捩れ変形を抑制することができる転がり軸受用保持器及びこの転がり軸受用保持器を用いた転がり軸受を提供する。【解決手段】複数の転動体１３を転動可能に保持し、円周方向に互いに隣り合うポケット部１５と、ポケット部１５の内周面の円周方向両端部に軸方向に突出する一対の爪部１６と、一対の爪１６部間に形成される転動体１３をポケット部１５に挿入するための開口部１７と、を備える軌道輪案内型の転がり軸受用保持器１４であって、ポケット部１５間に開口部１７側の端部方向に延設した柱部１８を備え、柱部１８を開口部１７側の端部方向に軸方向に延設して、この延設部１９に軌道輪案内部としてのフランジ部２０を設ける。【選択図】図１
2007255448.tif 000002
【特許請求の範囲】
【請求項１】
転がり軸受の複数の転動体を転動可能に保持し、円周方向に互いに隣り合うポケット部と、前記ポケット部の内周面の円周方向両端部に軸方向に突出する一対の爪部と、前記一対の爪部間に形成される前記転動体を前記ポケット部に挿入するための開口部と、を備える軌道輪案内型の転がり軸受用保持器であって、
前記ポケット部間に前記開口部側の端部方向に延設した柱部を備え、前記柱部を前記開口部側の端部方向に軸方向に延設して、前記延設部に軌道輪案内部を設けることを特徴とする転がり軸受用保持器。
【請求項２】
外輪と内輪との間に複数の転動体が保持器を介して円周方向に転動可能に配設される転がり軸受であって、
前記保持器として、請求項１に記載の転がり軸受用保持器を使用することを特徴とする転がり軸受。
【発明の詳細な説明】
【技術分野】
【０００１】
本発明は、転がり軸受用保持器及びこの転がり軸受用保持器を組み込んだ転がり軸受に関し、特に、高速回転向けの転がり軸受用保持器及び転がり軸受に関する。
【背景技術】
【０００２】
従来の転がり軸受としては、図５に示すような転がり軸受５０が知られており、この転がり軸受５０は、内輪１と外輪２との間に転動体としての複数の玉３が配設された深溝玉軸受であり、複数の玉３は、図６に示すような円環状の冠型樹脂製保持器４を介して円周方向に略等間隔で転動可能に保持されている（例えば、特許文献１及び２参照）。
【０００３】
冠型樹脂製保持器４は、合成樹脂の射出成形等により形成されており、冠型樹脂製保持器４には、複数の玉３を円周方向に略等間隔で転動可能に保持するポケット部５が形成され、このポケット部５の内周面の円周方向両端部には軸方向に突出する一対の爪部６が設けられている。また、一対の爪部６には、開口部７が形成されており、この開口部７から玉３を一対の爪部６を押し広げつつポケット部５に押し込むことにより、ポケット部５内に玉３が微小な隙間を介して転動可能に保持される。
【０００４】
【特許文献１】特開平１１−１３２２３８号公報
【特許文献２】実開平６−８８２１号公報
【発明の開示】
【発明が解決しようとする課題】
【０００５】
しかしながら、従来の転がり軸受５０に組み込まれる冠型樹脂製保持器４は、転動体案内型の保持器であり、開口部７側と保持器リム側とが軸方向において非対称な断面形状になっているため、近年の高速回転化への対応により、図７に示すように、開口部７側の軸方向端部に保持器回転（転動体公転）による遠心力が働き、保持器リム側の軸方向端部を捩れ軸とした弾性或いは塑性変形による捩れ変形が生じる虞がある。
【０００６】
本発明は、このような不都合を解消するためになされたものであり、その目的は、高速回転時の保持器の捩れ変形を抑制することができる転がり軸受用保持器及びこの転がり軸受用保持器を用いた転がり軸受を提供することにある。
【課題を解決するための手段】
【０００７】
本発明の上記目的は、下記の構成により達成される。
（１）  転がり軸受の複数の転動体を転動可能に保持し、円周方向に互いに隣り合うポケット部と、ポケット部の内周面の円周方向両端部に軸方向に突出する一対の爪部と、一対の爪部間に形成される転動体をポケット部に挿入するための開口部と、を備える軌道輪案内型の転がり軸受用保持器であって、ポケット部間に開口部側の端部方向に延設した柱部を備え、柱部を開口部側の端部方向に軸方向に延設して、延設部に軌道輪案内部を設けることを特徴とする転がり軸受用保持器。
（２）  外輪と内輪との間に複数の転動体が保持器を介して円周方向に転動可能に配設される転がり軸受であって、保持器として、（１）に記載の転がり軸受用保持器を使用することを特徴とする転がり軸受。
【発明の効果】
【０００８】
本発明の転がり軸受用保持器及び転がり軸受によれば、保持器を軌道輪案内型とし、ポケット部間に開口部側の端部方向に延設した柱部を備え、柱部を開口部側の端部方向に軸方向に延設して、延設部に軌道輪案内部を設けるため、保持器の開口部側に生じるリム側の軸方向端部を捩れ軸とした弾性或いは塑性変形による捩れ変形を抑制することができる。
【発明を実施するための最良の形態】
【０００９】
以下、本発明に係る転がり軸受用保持器及び転がり軸受の一実施形態について、図面を参照して詳細に説明する。
図１は本発明に係る転がり軸受用保持器及び転がり軸受の一実施形態を説明するための一部切欠斜視図、図２は図１に示す転がり軸受用保持器及び転がり軸受の要部拡大断面図、図３は本発明に係る転がり軸受用保持器の第１変形例を説明するための要部拡大斜視図、図４は本発明に係る転がり軸受用保持器の第２変形例を説明するための要部拡大斜視図である。
【００１０】
本実施形態の転がり軸受１０は、図１及び図２に示すように、内輪（軌道輪）１１と外輪（軌道輪）１２との間に転動体としての複数の玉（転動体）１３が配設された深溝玉軸受であり、複数の玉１３は、本実施形態の転がり軸受用保持器である冠型樹脂製保持器１４を介して円周方向に略等間隔で転動可能に保持されている。
【００１１】
冠型樹脂製保持器１４は、軌道輪（外輪１２）案内型であり、合成樹脂の射出成形等により一体に形成されている。冠型樹脂保持器１４の樹脂材料としては、４６ナイロンや６６ナイロンなどのポリアミド系樹脂、ポリブチレンテレフタレート、ポリフェレンサルファイド（ＰＰＳ）、ポリアミドイミド（ＰＡＩ）、熱可塑性ポリイミド、ポリエーテルエーテルケトン（ＰＥＥＫ）、及びポリエーテルニトリル（ＰＥＮ）等を挙げることができる。また、これらの樹脂に１０〜５０重量％の繊維状充填材（例えば、ガラス繊維や炭素繊維など）を適宜添加することにより保持器の剛性および寸法精度を向上させることができる。
【００１２】
また、冠型樹脂製保持器１４には、複数の玉１３を円周方向に略等間隔で転動可能に保持するポケット部１５が形成され、このポケット部１５の内周面の円周方向両端部には軸方向に突出する一対の爪部１６が設けられている。また、一対の爪部１６の各先端間には開口部１７が形成されており、この開口部１７から玉１３を一対の爪部１６を押し広げつつポケット部１５に押し込むことにより、ポケット部１５内に玉１３が微小なすきまを介して転動可能に保持される。
【００１３】
そして、本実施形態では、冠型樹脂製保持器１４は、その円周方向に互いに隣り合う各ポケット部１５間に開口部１７側の端部方向に延設した柱部１８を備え、この柱部１８には、開口部１７側の端部方向に軸方向に延びる延設部１９が設けられる。また、この延設部１９の先端部外周面には、径方向外方に突出するフランジ部（軌道輪案内部）２０が設けられる。さらに、保持器リム側の端部外周面には、径方向外方に突出するフランジ部（軌道輪案内部）２１が円周方向に沿って設けられている。
【００１４】
従って、本実施形態の転がり軸受用保持器１４及び転がり軸受１０よれば、保持器１４を軌道輪（外輪１２）案内型とし、ポケット部１５間に開口部１７側の端部方向に延設した柱部１８を備え、柱部１８を開口部１７側の端部方向に軸方向に延設して、この延設部１９の先端部外周面に軌道輪案内部としてのフランジ部２０を設け、保持器リム側の端部外周面に軌道輪案内部としてのフランジ部２１を設けるため、保持器１４の開口部１７側の軸方向端部に保持器回転（転動体公転）による遠心力が働き、保持器リム側の軸方向端部を捩れ軸とした弾性或いは塑性変形が生じる力が保持器１４に作用したとしても、延設部１９のフランジ部２０がストッパとして機能するので、保持器１４の捩れ変形を抑制することができる。
【００１５】
また、本実施形態の転がり軸受用保持器１４及び転がり軸受１０によれば、保持器１４が軌道輪案内型であるため、高速回転時の保持器１４の安定性を向上することができる。
【００１６】
なお、本実施形態の第１変形例として、図３に示すように、冠型樹脂製保持器１４は、延設部１９のフランジ部２０の径方向両端部に円弧状の面取部２２を設けるようにしてもよい。この場合、延設部１９のグリース抵抗を低減することができる。また、延設部１９に径方向の振れが生じた際に、フランジ部２０のエッジが外輪１２の軌道面に接することを防止できるので、保持器１４をスムースに案内することができる。
【００１７】
また、本実施形態の第２変形例として、図４に示すように、冠型樹脂製保持器１４は、延設部１９の内周面に軸方向外方に向けて次第に拡径するテーパ面２３を形成し、このテーパ面２３に肉ぬすみ部２４を設けるようにしてもよい。この場合、延設部１９にテーパ面２３及び肉ぬすみ部２４を設けることにより、延設部１９に作用する遠心力を低減することができるため、保持器１４の開口部１７側に生じる保持器リム側の軸方向端部を捩れ軸とした弾性或いは塑性変形による保持器１４の捩れ変形をさらに抑制することができる。
【００１８】
なお、本発明は、上記した実施形態に限定されるものではなく、適宜、変形、改良等が可能である。
例えば、本実施形態では、延設部を矩形状としたが、これに代えて、この延設部を円形やその他の形状としてもよい。
また、本実施形態では、延設部の先端部外周面にフランジ部を設けると共に、保持器リム側の端部外周面にフランジ部を設けて、軌道輪案内部をポケット部より大径としているが、これに限定されず、軌道輪案内部をポケット部と同一径としてもよい。
さらに、本実施形態では、保持器を外輪案内型としているが、これに代えて、内輪案内型としてもよい。この場合、延設部の先端部内周面及び保持器リム側の端部内周面に、軌道輪案内部としてのフランジ部をそれぞれ設ける。
【図面の簡単な説明】
【００１９】
【図１】本発明に係る転がり軸受用保持器及び転がり軸受の一実施形態を説明するための一部切欠斜視図である。
【図２】図１に示す転がり軸受用保持器及び転がり軸受の要部断面図である。
【図３】本発明に係る転がり軸受用保持器の第１変形例を説明するための要部斜視図である。
【図４】本発明に係る転がり軸受用保持器の第２変形例を説明するための要部斜視図である。
【図５】従来の転がり軸受を説明するための要部断面図である。
【図６】図５に示す転がり軸受に組み込まれる従来の冠型樹脂製保持器を説明するための斜視図である。
【図７】従来の冠型樹脂製保持器に生じる捩れ変形を説明するための要部断面図である。
【符号の説明】
【００２０】
１０          転がり軸受
１１          内輪
１２          外輪
１３          玉（転動体）
１４          冠型樹脂製保持器（転がり軸受用保持器）
１５          ポケット部
１６          爪部
１７          開口部
１８          柱部
１９          延設部
２０，２１    フランジ部（軌道輪案内部）
２２          面取部
２３          テーパ面
２４          肉ぬすみ部
【図１】
2007255448.tif 000003
【図２】
2007255448.tif 000004
【図３】
2007255448.tif 000005
【図４】
2007255448.tif 000006
【図５】
2007255448.tif 000007
【図６】
2007255448.tif 000008
【図７】
2007255448.tif 000009